(57)【要約】【課題】等速ジョイントの非円形形状のケースに対して優れたシール性を有する等速ジョイント用樹脂製ブーツの取付具とその取付構造を提供する。【解決手段】樹脂材料により成形された円形断面を有する径大側取付部２と蛇腹部４と径小側取付部３とからなる等速ジョイント用樹脂製ブーツ１において、前記径大側取付部２を周上に凹部１７を有する等速ジョイントのケース１４に取り付けるための取付具７であり、前記ケース凹部１７と前記径大側取付部２との間に配され、前記径大側取付部２と共に前記ケース外周に締め付け固定される取付具７であって、前記取付具７が、前記ケース１４の端部１７ａを把持する把持部８を有する。【選択図】　図２
2004116532.tif 000002
【特許請求の範囲】
【請求項１】
樹脂材料により成形された円形断面を有する径大側取付部と蛇腹部と径小側取付部とからなる等速ジョイント用樹脂製ブーツにおいて、前記径大側取付部を周上に凹部を有する等速ジョイントのケースに取り付けるための取付具であり、
前記ケース凹部と前記径大側取付部との間に配され、前記径大側取付部と共に前記ケース外周に締め付け固定される取付具であって、
前記取付具が、前記ケースの端部を把持する把持部を有する
ことを特徴とする等速ジョイント用樹脂製ブーツの取付具。
【請求項２】
前記取付具が、前記等速ジョイント用樹脂製ブーツよりも硬質の材料により形成されている
ことを特徴とする請求項１に記載の等速ジョイント用樹脂製ブーツの取付具。
【請求項３】
請求項１又は２に記載の取付具を用いた等速ジョイント用樹脂製ブーツの等速ジョイントへの取付構造であって、
前記取付具が前記ケース凹部と前記径大側取付部との間に配され、
前記取付具に設けられた把持部が前記ケースの端部を把持し、
前記径大側取付部が前記ケース外周にクランプにより取付けられた
ことを特徴とする等速ジョイント用樹脂製ブーツの取付構造。
【発明の詳細な説明】
【０００１】
【発明の属する技術分野】
本発明は、等速ジョイントに用いられる樹脂製ブーツの取付具、及びその取付具を用いた等速ジョイント用樹脂製ブーツの取付構造に関するものである。
【０００２】
【従来の技術】
車輌のドライブシャフト等に用いられる等速ジョイントの１つとして、トリポートタイプのジョイントがあり、例えば前輪駆動自動車の駆動用に使用されている。この等速ジョイントにおいても、ジョイント内部への塵埃や異物の侵入防止のためのカバーとして樹脂製ブーツが設けられている。
【０００３】
図５は、トリポートタイプの等速ジョイント１０に従来の樹脂製ブーツ３０を取付けた状態の縦断面図、図６は、図５におけるＺ−Ｚ線断面のブーツ３０の径大側取付部２１の横断面図である。
【０００４】
図に示すように、等速ジョイント１０は入力側と出力側の一方のシャフト１６に、ローラ１１を持つ３本のトラニオン１２を軸直角方向に突設して構成したトリポート１３と、他方のシャフト２０の端部に設けたケース１４とからなり、ケース１４はその内周にトリポート１３と対応する軸方向の３本の摺動溝１５を形成する凹部１７を有し、トリポート１３のローラ１１がこの溝１５に嵌め合わされ、軸方向の摺動および両シャフトの角度付けを可能にしながら、エンジンの回転トルクをドライブシャフトに伝達するように構成されている。
【０００５】
従来の等速ジョイント用樹脂製ブーツ３０は、上記トリポートタイプの等速ジョイント１０における入力側と出力側との一方のシャフト２０に有するケース１４に取付られる一端側の径大側取付部２１と、トリポート１３側のシャフト１６に取付られる他端側の径小側取付部２２と、これら両取付部を連接する適度に伸縮や曲げ変形に対応できるテーパ状の蛇腹部２３とからなり、これらがポリエステル系樹脂等の樹脂材料によりインジェクションブロー成形によって一体成形されたカバー体であり、ケース１４及びシャフト１６の外周にクランプリング２６、２７により締め付け取り付けられている。
【０００６】
特に、径大側取付部２１は、その外周が略円形をなすとともに、内周がケース１４の外周の凹部１７の形状に対応した非円形断面をなし、周方向の所要間隔にケース外周の凹部１７に対応する内側への凸状をなす肉厚部２４が形成されている。これにより肉厚部２４と肉薄部２５とが交互に形成されている（例えば、特許文献１参照。）。
【０００７】
上記径大側取付部に肉厚部と肉薄部とが交互に一体成形された従来の樹脂製ブーツでは、成形時に肉厚差による収縮率の差による変形、いわゆる「ひけ」が発生しやすく、ケースの外周形状に沿ったブーツ内周形状を成形することが難しい。また、肉厚部と肉薄部とが交互にある場合、クランプで締め付けた時に径大側取付部の周方向で均等な締め付けが困難でありシール性不良の一因となっている。
【０００８】
さらに、径大側取付部はへたり、特に熱へたりによって変形が生じてシール性が徐々に低下するという問題があり、なかでも肉厚部でのへたりが生じやすく、このへたりによる変形を抑えるために硬質材料を用いることが考えられるが、全周を硬質材料で形成した径大側取付部ではケースへの装着性に問題が生じてくる。
【０００９】
また、図７の縦断面図、及び図８の図７のＹ−Ｙ線断面におけるブーツの径大側取付部２の横断面図に示すように、全周が均一な薄肉の円形断面である径大側取付部２を有する等速ジョイント用樹脂製ブーツ１では、ケース１４周上の凹部１７と径大側取付部２との間の３箇所の空間部に、その内部を充填しケース１４と共にその外周を略円形に形成するスペーサーとなる取付具９を配し、径大側取付部２の外周をクランプ１８により締め付け固定する取付具９が用いられている。
【００１０】
しかし、この取付具９の場合、ケース１４外周と径大側取付部２との空間部に取付具９の本体部分のみを挟みクランプ１８で締め付けているため、径大側取付部２をケース１４の外周に取り付けるためのスペーサーの役割は果たすものの、ケース１４と取付具９とのシール性は十分ではない。
【００１１】
【特許文献１】
特開２００２−１３５４６号公報　（第３頁、第１図）
【００１２】
【発明が解決しようとする課題】
本発明は、上記に鑑みてなされたものであり、等速ジョイントの非円形形状をなすケース外周に対して円形断面の径大側取付部を取り付け、かつシール性が良好である等速ジョイント用樹脂製ブーツの取付具及びその取付具を用いた等速ジョイント用樹脂製ブーツの取付構造を提供することを目的とするものである。
【００１３】
【課題を解決するための手段】
請求項１に記載の発明は、樹脂材料により成形された円形断面を有する径大側取付部と蛇腹部と径小側取付部とからなる等速ジョイント用樹脂製ブーツにおいて、前記径大側取付部を周上に凹部を有する等速ジョイントのケースに取り付けるための取付具であり、前記ケース凹部と前記径大側取付部との間に配され、前記径大側取付部と共に前記ケース外周に締め付け固定される取付具であって、前記取付具が、前記ケースの端部を把持する把持部を有することを特徴とする等速ジョイント用樹脂製ブーツの取付具である。
【００１４】
本発明の等速ジョイント用樹脂製ブーツの取付具によれば、取付具がケースの凹部と前記径大側取付部との間に配されその空間を充填し、締め付け具により径大側取付部と共にケース全周に均等かつ高い接触圧で締め付け固定され、かつ取付具の内周側端部に設けられた把持部がケースの凹部端部を包み込むように把持するので等速ジョイント用樹脂製ブーツのシール性をより向上することができる。
【００１５】
請求項２に記載の発明は、前記取付具が、前記等速ジョイント用樹脂製ブーツよりも硬質の材料により形成されていることを特徴とする請求項１に記載の等速ジョイント用樹脂製ブーツの取付具であり、取付具の硬度を高めることにより、径大側取付部とケースとの接触圧を高め、また取付具の耐へたり性を改善し長期にわたりそのシール性を向上することができる。
【００１６】
請求項３に記載の発明は、請求項１又は２に記載の取付具を用いた等速ジョイント用樹脂製ブーツの等速ジョイントへの取付構造であって、前記取付具が前記ケース凹部と前記径大側取付部との間に配され、前記取付具に設けられた把持部が前記ケースの端部を把持し、前記径大側取付部が前記ケース外周にクランプにより取付けられたことを特徴とする等速ジョイント用樹脂製ブーツの取付構造である。
【００１７】
本発明の等速ジョイント用樹脂製ブーツの取付構造によれば、取付具に設けられた把持部がケースの凹部端部の全長にわたり、この端部を包み込むように把持するので、取付具とケースとの接触距離が増して空気やグリスの流通通路が長くなり良好なシール性を得ることができる。
【００１８】
【発明の実施の形態】
次に本発明の実施の形態を図面に示す実施例に基づいて説明する。
【００１９】
図１は、実施形態の等速ジョイント用樹脂製ブーツ１（以下、ブーツという）をトリポートタイプの等速ジョイント１０に取付けた状態の縦断面図、図２は図１のＸ−Ｘ線断面におけるブーツ１の径大側取付部２の横断面図、図３はその取付状態を示す斜視断面図である。
【００２０】
この等速ジョイント１０は、従来と同様のものであり、入力側と出力側の一方のシャフト１６に、ローラ１１を持つ３本のトラニオン１２を軸直角方向に突設して構成したトリポート１３と、他方のシャフト２０の端部に設けたケース１４とからなっている。
【００２１】
ケース１４はその内周に前記トリポート１３と対応する軸方向の３本の摺動溝１５を有し、この摺動溝１５を形成するための凹部１７がケース１４の外周において摺動溝１５の凸部と周方向に交互に形成されている。
【００２２】
そして、トリポート１３のローラ１１がこの摺動溝１５に嵌め合わされて、軸方向の摺動および両シャフトの角度付けを可能にしながら、回転トルクを伝達できるように構成されている。
【００２３】
等速ジョイント１０には、ジョイント内部への塵埃や異物の侵入防止のために、ケース１４からトリポート１３側のシャフト１６の部分を覆うように適度に伸縮や曲げ変形が可能な蛇腹状をなす樹脂製ブーツ１が設けられ、ケース１４及びシャフト１６にクランプリング１８、１９により締め付けられて取付けられている。
【００２４】
このブーツ１は、等速ジョイント１０のケース１４に取付けられる円形断面を有する径大側取付部２と、トリポート１３側のシャフト１６に取付けられる径小側取付部３と、これら両取付部２、３を連接するテーパ状の蛇腹部４とからなり、これらがポリエステル系樹脂によりプレスブロー成形によって一体に成形されたものである。
【００２５】
径大側取付部２は非円形形状を有するケース１４の外径にほぼ一致する内径を有し、均一な厚みの薄肉である円形断面に形成され、周方向に位置決めとシール性を向上するための１条の溝が設けられている。
【００２６】
径大側取付部２とケース１４の間には、ケース１４周上の３箇所の凹部１７と前記径大側取付部２との空間部にスペーサーとなる断面略楕円形の取付具７が配され、その空間内部を取付具７が充填している。
【００２７】
また、取付具７には、スペーサーとなる取付具本体７ａの略楕円形の一端側から内側に向けて突出し、ケース１４凹部１７の円弧状端部１７ａを周方向の全長にわたり把持する鉤状の把持部８が設けられている。
【００２８】
把持部８は、ケース１４の凹部１７の端部１７ａ全長にわたり、端部１７ａ外面から内面にかけて包み込み把持している。
【００２９】
また、取付具７の本体部７ａはケース１４の円形外周部と共に径大側取付部２の内周に沿う円形外周を形成し、径大側取付部２と共にクランプリング１８によりケース１４外周に締め付け固定されている。
【００３０】
これにより、ブーツ１の径大側取付部２はケース１４の全周にわたり均等かつ高い接触圧で締め付け固定することができ、円形断面の径大側取付部２を非円形形状を有するケース１４外周に対して強固に取り付けられ、シール性が得られる。
【００３１】
また、取付具７の把持部８がケース１４の凹部端部１７ａを包み込むように把持するので、取付部が３重構造となるとともにケース１４と取付具７との接触距離が把持部８の鉤形状に沿って延長されることで空気やグリス等が流通する通路が長くなり、ブーツ１のシール性をより向上することができる。
【００３２】
この取付具７は、耐グリス、耐へたり性等を有するゴム材料やポリエステル系、ポリアミド系、ポリオレフィン系、ポリウレタン系等の熱可塑性エラストマー樹脂を使用することでき、ブーツ１と同一の樹脂材料で成形したものでもよく、ゴム材料の場合はモールド加硫、樹脂材料の場合は射出成形等の一般的な製造法により得られる。
【００３３】
また、取付部７の本体部分７ａと把持部８とは、同一素材により一体成形したもの（図４（ａ））、或いは取付部７の本体部分７ａと把持部８とを別素材で成形し接着剤等により一体化したものでもよい（図４（ｂ））。
【００３４】
この取付具７はブーツ１よりも硬度の高い硬質材料により形成されることが好ましい。これは、取付具７に硬質材料を用いることにより、クランプリング１８で径大側取付部２を取付具７を介してケース１４に締め付けることで、３者の間で強力に押し当てられて高い接触圧が得られ、ブーツ１の径大側取付部２を強固に締め付け固定することができ、シール性をより向上することができる。この締め付け時には取付具７の変形を抑え、ブーツ１とケース１４が取付具７を押し包み、また把持部８がケース１４の凹部端部１７ａに密着し把持することが重要である。
【００３５】
また、取付具７の硬度を高めることにより、取付具７の耐へたり性、特に熱によるへたりを改善し、取付具７と径大側取付部２或いはケース１４との締め付けによる密着性を維持し、長期にわたり良好なシール性を保つことができるようになる。
【００３６】
この場合、例えばブーツ１が熱可塑性エラストマー樹脂で成形されたものであれば、取付具７はナイロン６，ナイロン６６などのポリアミド系樹脂等の熱可塑性エラストマー樹脂よりも硬質の樹脂が挙げられ、また、図４（ｂ）のように取付部７が異なる素材で構成される場合は、本体部７ａをナイロン等の硬質材料で成形し、把持部８部分はそれより硬度の低いゴム材料等で構成することが好ましい。
【００３７】
また、この把持部８は、ブーツ１の径大側取付部２をケース１４に取り付ける際に、取付具７のケース１４端部への位置決めを容易にし、ブーツ１の装着性を向上する効果もある。
【００３８】
なお、上記実施形態においては、トリポートタイプの等速ジョイントに径大側取付部を取り付ける場合に基づいて本発明を説明したが、上記以外の周上に１又は複数の凹部を有する非円形形状の等速ジョイントケースに円形断面のブーツ取付部を取り付ける場合にも適用されるのは、もちろんのことである。
【００３９】
【発明の効果】
以上説明したように、本発明の等速ジョイント用樹脂製ブーツの取付具、及びその取付構造によれば、非円形形状をなす等速ジョイントのケース外周に対して円形断面の径大側取付部を取り付けることができ、かつシール性を向上し、長期にわたりそのシール性を良好に維持することができる。
【図面の簡単な説明】
【図１】実施形態の縦断面図である。
【図２】実施形態の横断面図である。
【図３】実施形態の斜視断面図である。
【図４】実施形態の取付具の断面図である。
【図５】従来例の縦断面図である。
【図６】従来例の横断面図である。
【図７】他の従来例の縦断面図である。
【図８】他の従来例の横断面図である。
【符号の説明】
１……等速ジョイント用樹脂製ブーツ
２……径大側取付部
３……径小側取付部
４……蛇腹部
７……取付具
８……把持部
１０……等速ジョイント
１４……ケース
１７……ケース凹部
１８……クランプリング
【図１】
2004116532.tif 000003
【図２】
2004116532.tif 000004
【図３】
2004116532.tif 000005
【図４】
2004116532.tif 000006
【図５】
2004116532.tif 000007
【図６】
2004116532.tif 000008
【図７】
2004116532.tif 000009
【図８】
2004116532.tif 000010